(57)【要約】【課題】スペクトルの異なる複数種類の照射光を被写体に順次照射する構成であると、白色光を被写体に照射する頻度が低下することから、白色光により照射された被写体の画像のリフレッシュレートが低下する。【解決手段】光源装置を、白色光を射出する光源と、光源より入射される白色光から夫々異なる波長域の光を取り出す複数種類の特定波長光通過領域が円周方向に並べて配置され、更に、該白色光を通過させる白色光通過領域が該円周方向であって、各該特定波長光通過領域の間に並べて配置された回転式ターレットと、回転式ターレットを回転させることにより、特定波長光通過領域と白色光通過領域とを、所定の撮像周期と同期したタイミングで白色光の光路に交互に挿入する駆動手段とを備える構成とした。【選択図】図３
2016152872.tif 000002
【特許請求の範囲】
【請求項１】
白色光を射出する光源と、
前記光源より入射される白色光から夫々異なる波長域の光を取り出す複数種類の特定波長光通過領域が円周方向に並べて配置され、更に、該白色光を通過させる白色光通過領域が該円周方向であって、各該特定波長光通過領域の間に並べて配置された回転式ターレットと、
前記回転式ターレットを回転させることにより、前記特定波長光通過領域と前記白色光通過領域とを、所定の撮像周期と同期したタイミングで前記白色光の光路に交互に挿入する駆動手段と、
を備える、
光源装置。
【請求項２】
前記複数種類の特定波長光通過領域は、
透過させる光の波長域が異なる第一、第二の特定波長光通過領域を有し、
前記回転式ターレットは、
前記第一の特定波長光通過領域、前記白色光通過領域、前記第二の特定波長光通過領域、該白色光通過領域が前記円周方向に順に並べて配置されている、
請求項１に記載の光源装置。
【請求項３】
各前記光通過領域は、
前記円周方向に等角度ピッチで配置されている、
請求項１又は請求項２に記載の光源装置。
【請求項４】
前記白色光通過領域は、
前記白色光を透過させる光学フィルタ又は光学フィルタの無い開口部である、
請求項１から請求項３の何れか一項に記載の光源装置。
【発明の詳細な説明】
【技術分野】
【０００１】
本発明は、被写体に光を照射する光源装置に関する。
【背景技術】
【０００２】
特殊な画像を撮影することが可能な内視鏡システムが知られている。例えば特許文献１に、この種の内視鏡システムの具体的構成が記載されている。
【０００３】
特許文献１に記載の内視鏡システムは、回転フィルタが搭載された光源装置を備えている。回転フィルタには、３つの光バンドパスフィルタ（５５０ｎｍ帯の光を選択的に透過させる光バンドパスフィルタが２つ、６５０ｎｍ帯の光を選択的に透過させる光バンドパスフィルタが１つ）と白色光を透過させる通常観察用フィルタが円周方向に並べて配置されている。コントローラは、回転フィルタを一定の回転周期で回転駆動させて、各フィルタを白色光の光路に順次挿入し、各フィルタを透過した照射光による生体組織の撮像を順次行う。コントローラは、各光バンドパスフィルタを用いて撮像された画像のデータに基づいて生体組織中の生体分子の分布を示す画像（例えばヘモグロビンの酸素飽和度の分布を示す画像）を生成し、生成された分布画像を、通常観察用フィルタを用いて撮像された通常観察画像と並べて表示画面内に表示させる。
【先行技術文献】
【特許文献】
【０００４】
【特許文献１】国際公開第２０１４／１９２７８１号パンフレット
【発明の概要】
【発明が解決しようとする課題】
【０００５】
特許文献１において、回転フィルタに配置された各フィルタ（３つの光バンドパスフィルタと１つの通常観察用フィルタの計４つ）は、フレームレートに同期したタイミングで白色光の光路に順次挿入される。しかし、この構成では、通常観察用フィルタによる通常観察画像の撮像が４フレーム毎にしか行われないことから、通常観察画像のリフレッシュレートが低いという問題が指摘される。
【０００６】
本発明は上記の事情に鑑みてなされたものであり、その目的とするところは、分光特性の異なる複数種類の光学フィルタを透過した夫々の照射光と白色光を被写体に順次照射しつつ白色光により照射された被写体の画像のリフレッシュレートの低下を抑えるのに好適な光源装置を提供することである。
【課題を解決するための手段】
【０００７】
本発明の一実施形態に係る光源装置は、白色光を射出する光源と、光源より入射される白色光から夫々異なる波長域の光を取り出す複数種類の特定波長光通過領域が円周方向に並べて配置され、更に、該白色光を通過させる白色光通過領域が該円周方向であって、各該特定波長光通過領域の間に並べて配置された回転式ターレットと、回転式ターレットを回転させることにより、特定波長光通過領域と白色光通過領域とを、所定の撮像周期と同期したタイミングで白色光の光路に交互に挿入する駆動手段とを備える。
【０００８】
本発明の一実施形態によれば、白色光通過領域が各特定波長光通過領域の間に並べて配置されており、特定波長光通過領域と白色光通過領域とが白色光の光路に交互に挿入されるため、特定波長光通過領域の種類・配置数に拘わらず、白色光通過領域を介した白色光が被写体に１つおきの撮像周期で照射される。スペクトルの異なる複数種類の照射光が被写体に順次照射されつつ白色光が被写体に１つおきの撮像周期で照射されるため、各スペクトルの照射光により照射された被写体の画像を撮像しつつ白色光により照射された被写体の画像を１つおきの撮像周期で撮像することができる。
【０００９】
また、本発明の一実施形態において、複数種類の特定波長光通過領域は、例えば、透過させる光の波長域が異なる第一、第二の特定波長光通過領域を有する。この場合において、回転式ターレットは、第一の特定波長光通過領域、白色光通過領域、第二の特定波長光通過領域、白色光通過領域が円周方向に順に並べて配置された構成としてもよい。
【００１０】
また、本発明の一実施形態において、各光通過領域は、円周方向に等角度ピッチで配置された構成としてもよい。
【００１１】
また、本発明の一実施形態において、白色光通過領域は、例えば、白色光を透過させる光学フィルタ又は光学フィルタの無い開口部である。
【発明の効果】
【００１２】
本発明の一実施形態によれば、分光特性の異なる複数種類の光学フィルタを透過した夫々の照射光と白色光を被写体に順次照射しつつ白色光により照射された被写体の画像のリフレッシュレートの低下を抑えるのに好適な光源装置が提供される。
【図面の簡単な説明】
【００１３】
【図１】５５０ｎｍ付近を拡大したヘモグロビンの吸収スペクトルである。
【図２】本発明の実施形態に係る電子内視鏡システムの構成を示すブロック図である。
【図３】本発明の実施形態に係るプロセッサに備えられる回転フィルタ部を集光レンズ側から見た正面図である。
【図４】通常観察画像及び酸素飽和度分布画像に関する各処理のタイミング及び期間を示す図である。
【発明を実施するための形態】
【００１４】
以下、本発明の実施形態について図面を参照しながら説明する。なお、以下においては、本発明の一実施形態として電子内視鏡システムを例に取り説明する。本実施形態に係る電子内視鏡システムは、波長域の異なる光で撮像した複数の画像に基づいて被写体の生体情報（例えば酸素飽和度）を定量的に分析して画像化することが可能なシステムである。
【００１５】
［ヘモグロビンの分光特性及び酸素飽和度の計算原理］
本実施形態に係る電子内視鏡システムの構成を詳細に説明する前に、ヘモグロビンの分光特性と、本実施形態における酸素飽和度の計算原理について説明する。
【００１６】
図１に、５５０ｎｍ付近のヘモグロビンの吸収スペクトルを示す。ヘモグロビンは、５５０ｎｍ付近にポルフィリンに由来するＱ帯と呼ばれる強い吸収帯を有している。ヘモグロビンの吸収スペクトルは、酸素飽和度（全ヘモグロビンのうち酸素化ヘモグロビンが占める割合）に応じて変化する。図１における実線の波形は、酸素飽和度が１００％の場合の（すなわち、酸素化ヘモグロビンHbOの）吸収スペクトルを示し、長破線の波形は、酸素飽和度が０％の場合の（すなわち、還元ヘモグロビンHbの）吸収スペクトルを示す。また、短破線は、その中間の酸素飽和度（１０、２０、３０、・・・９０％）におけるヘモグロビン（酸素化ヘモグロビンと還元ヘモグロビンの混合物）の吸収スペクトルを示す。
【００１７】
図１に示されるように、Ｑ帯において、酸素化ヘモグロビンと還元ヘモグロビンは互いに異なるピーク波長を有している。具体的には、酸素化ヘモグロビンは、波長５４２ｎｍ付近に吸収ピークＰ１を有しており、波長５７８ｎｍ付近に吸収ピークＰ３を有している。一方、還元ヘモグロビンは、５５８ｎｍ付近に吸収ピークＰ２を有している。図１は、各成分（酸素化ヘモグロビン、還元ヘモグロビン）の濃度の和が一定となる２成分系の吸収スペクトルであるため、各成分の濃度（すなわち酸素飽和度）によらず吸収が一定となる等吸収点Ｅ１、Ｅ２、Ｅ３、Ｅ４が現れる。以下の説明では、等吸収点Ｅ１とＥ２とで挟まれた波長領域を「波長域Ｒ１」と記し、等吸収点Ｅ２とＥ３とで挟まれた波長領域を「波長域Ｒ２」と記し、等吸収点Ｅ３とＥ４とで挟まれた波長領域を「波長域Ｒ３」と記す。また、等吸収点Ｅ１とＥ４とで挟まれた波長領域（すなわち波長域Ｒ１、Ｒ２及びＲ３を合わせたもの）を「波長域Ｒ０」と記す。
【００１８】
図１に示されるように、隣接する等吸収点間では、酸素飽和度に対して吸収が単調に増加又は減少する。また、隣接する等吸収点間では、ヘモグロビンの吸収は、酸素飽和度に対してほぼ線形的に変化する。
【００１９】
具体的には、波長域Ｒ１、Ｒ３におけるヘモグロビンの吸収ＡＲ１、ＡＲ３は酸素化ヘモグロビンの濃度（酸素飽和度）に対して線形的に単調増加し、波長域Ｒ２におけるヘモグロビンの吸収ＡＲ２は還元ヘモグロビンの濃度（１−酸素飽和度）に対して線形的に単調増加する。従って、次式（１）により定義される指標Ｘは、酸素化ヘモグロビンの濃度（酸素飽和度）に対して線形的に単調増加する。
（式１）
Ｘ＝（ＡＲ１＋ＡＲ３）-ＡＲ２
【００２０】
従って、予め実験的に酸素飽和度と指標Ｘとの定量的な関係を取得すれば、指標Ｘの値から酸素飽和度を計算することができる。
【００２１】
［電子内視鏡システムの構成］
図２は、本実施形態に係る電子内視鏡システム１の構成を示すブロック図である。図２に示されるように、電子内視鏡システム１は、電子スコープ１００、プロセッサ２００及びモニタ３００を備えている。
【００２２】
プロセッサ２００は、システムコントローラ２０２及びタイミングコントローラ２０４を備えている。システムコントローラ２０２は、メモリ２１２に記憶された各種プログラムを実行し、電子内視鏡システム１全体を統括的に制御する。また、システムコントローラ２０２は、操作パネル２１４に接続されている。システムコントローラ２０２は、操作パネル２１４より入力される術者からの指示に応じて、電子内視鏡システム１の各動作及び各動作のためのパラメータを変更する。タイミングコントローラ２０４は、各部の動作のタイミングを調整するクロックパルスを電子内視鏡システム１内の各回路に出力する。
【００２３】
ランプ２０８は、ランプ電源イグナイタ２０６による始動後、照射光Ｌを射出する。ランプ２０８は、例えば、キセノンランプ、ハロゲンランプ、水銀ランプ、メタルハライドランプ等の高輝度ランプやＬＥＤ（Light Emitting Diode）である。照射光Ｌは、主に可視光領域から不可視である赤外光領域に広がるスペクトルを持つ光（又は少なくとも可視光領域を含む白色光）である。
【００２４】
ランプ２０８より射出された照射光Ｌは、回転フィルタ部２６０に入射される。図３は、回転フィルタ部２６０を集光レンズ２１０側から見た正面図である。図３に示されるように、回転フィルタ部２６０は、回転式ターレット２６１、ＤＣモータ２６２、ドライバ２６３及びフォトインタラプタ２６４を備えている。回転式ターレット２６１には、４つの光学フィルタが配置されている。具体的には、回転式ターレット２６１には、通常観察用（白色光用）フィルタＦｎ、第一の酸素飽和度観察用フィルタＦｓ１、通常観察用フィルタＦｎ、第二の酸素飽和度観察用フィルタＦｓ２が円周方向に順に並べて配置されている。各光学フィルタは、扇形状を有しており、撮像周期（フレーム周期）に対応する角度ピッチ（ここでは９０°の角度ピッチ）で配置されている。また、各光学フィルタは、何れも誘電体多層膜フィルタであるが、他の方式の光学フィルタ（例えば、誘電体多層膜を反射膜として用いたエタロンフィルタ等）であってもよい。なお、以降の説明において「フレーム」は「フィールド」に置き替えてもよい。本実施形態において、フレーム周期、フィールド周期はそれぞれ、１／３０秒、１／６０秒である。
【００２５】
第一の酸素飽和度観察用フィルタＦｓ１は、５５０ｎｍ帯の光を選択的に透過させる光バンドパスフィルタである。図１に示されるように、第一の酸素飽和度観察用フィルタＦｓ１は、等吸収点Ｅ１からＥ４までの波長域（すなわち、波長域Ｒ０）の光を低損失で透過させ、それ以外の波長領域の光を遮蔽する分光特性を持つ。第二の酸素飽和度観察用フィルタＦｓ２は、等吸収点Ｅ２からＥ３までの波長域（すなわち、波長域Ｒ２）の光を低損失で透過させ、それ以外の波長領域の光を遮蔽する分光特性を持つ。
【００２６】
通常観察用フィルタＦｎは、紫外線カットフィルタである。通常観察用フィルタＦｎは、単なる開口（光学フィルタの無いもの）や絞り機能を兼ねたスリット（光学フィルタの無いもの）に置き換えてもよい。
【００２７】
以下、説明の便宜上、第一の酸素飽和度観察用フィルタＦｓ１透過後の照射光Ｌを「第一の酸素飽和度観察光Ｌｓ１」と記し、第二の酸素飽和度観察用フィルタＦｓ２透過後の照射光Ｌを「第二の酸素飽和度観察光Ｌｓ２」と記し、通常観察用フィルタＦｎ透過後の照射光Ｌを「通常光Ｌｎ」と記す。
【００２８】
ドライバ２６３は、システムコントローラ２０２による制御下でＤＣモータ２６２を駆動する。回転フィルタ部２６０は、回転式ターレット２６１がＤＣモータ２６２によって回転動作することにより、通常観察用フィルタＦｎ、第一の酸素飽和度観察用フィルタＦｓ１、通常観察用フィルタＦｎ、第二の酸素飽和度観察用フィルタＦｓ２の各光学フィルタを照射光Ｌの光路に順次挿入する。これにより、ランプ２０８より入射された照射光Ｌから、スペクトルの異なる照射光がフレーム周期と同期したタイミングで順次取り出される。具体的には、回転式ターレット２６１は、回転動作中、循環的に、第一の酸素飽和度観察用フィルタＦｓ１より第一の酸素飽和度観察光Ｌｓ１を取り出し、通常観察用フィルタＦｎより通常光Ｌｎを取り出し、第二の酸素飽和度観察用フィルタＦｓ２より第二の酸素飽和度観察光Ｌｓ２を取り出し、通常観察用フィルタＦｎより通常光Ｌｎを取り出す。回転式ターレット２６１の回転位置や回転の位相は、回転式ターレット２６１の外周付近に形成された開口（不図示）をフォトインタラプタ２６４によって検出することにより制御される。
【００２９】
回転フィルタ部２６０より取り出された照射光（第一の酸素飽和度観察光Ｌｓ１、第二の酸素飽和度観察光Ｌｓ２、通常光Ｌｎ）は、集光レンズ２１０によって集光されながら羽根絞り（不図示）を介して適正な光量に制限されて、ＬＣＢ（Light Carrying Bundle）１０２の入射端面に集光されてＬＣＢ１０２内に入射される。
【００３０】
ＬＣＢ１０２内に入射された照射光（第一の酸素飽和度観察光Ｌｓ１、第二の酸素飽和度観察光Ｌｓ２、通常光Ｌｎ）は、ＬＣＢ１０２内を伝播して電子スコープ１００の先端に配置されたＬＣＢ１０２の射出端面より射出され、配光レンズ１０４を介して被写体に照射される。これにより、被写体は、第一の酸素飽和度観察光Ｌｓ１、通常光Ｌｎ、第二の酸素飽和度観察光Ｌｓ２、通常光Ｌｎにより順次照射される。照射光により照射された被写体からの戻り光は、対物レンズ１０６を介して固体撮像素子１０８の受光面上で光学像を結ぶ。
【００３１】
固体撮像素子１０８は、ベイヤ型画素配置を有する単板式カラーＣＣＤ（Charge Coupled Device）イメージセンサである。固体撮像素子１０８は、受光面上の各画素で結像した光学像を光量に応じた電荷として蓄積して、Ｒ（Red）、Ｇ（Green）、Ｂ（Blue）の画像信号を生成して出力する。なお、固体撮像素子１０８は、ＣＣＤイメージセンサに限らず、ＣＭＯＳ（Complementary Metal Oxide Semiconductor）イメージセンサやその他の種類の撮像装置に置き換えられてもよい。固体撮像素子１０８はまた、補色系フィルタを搭載したものであってもよい。
【００３２】
回転フィルタ部２６０による各照射光（第一の酸素飽和度観察光Ｌｓ１、第二の酸素飽和度観察光Ｌｓ２、通常光Ｌｎ）の切り換えのタイミングは、固体撮像素子１０８における撮像期間（フレーム期間）の切り換えのタイミングと同期している。従って、固体撮像素子１０８は、１フレーム期間中、第一の酸素飽和度観察光Ｌｓ１を受光して第一の酸素飽和度観察用画像信号Ｓｓ１を生成して出力し、続く１フレーム期間中、通常光Ｌｎを受光して通常観察用画像信号Ｓｎを生成して出力し、続く１フレーム期間中、第二の酸素飽和度観察光Ｌｓ２を受光して第二の酸素飽和度観察用画像信号Ｓｓ２を生成して出力し、続く１フレーム期間中、通常光Ｌｎを受光して通常観察用画像信号Ｓｎを生成して出力する。すなわち、固体撮像素子１０８により、第一の酸素飽和度観察用画像信号Ｓｓ１、通常観察用画像信号Ｓｎ、第二の酸素飽和度観察用画像信号Ｓｓ２、通常観察用画像信号Ｓｎが順次生成されて出力される。
【００３３】
電子スコープ１００の接続部内には、ドライバ信号処理回路１１０が備えられている。ドライバ信号処理回路１１０には、各画像信号Ｓｓ１、Ｓｎ、Ｓｓ２、Ｓｎがフレーム周期で固体撮像素子１０８より順次入力される。ドライバ信号処理回路１１０は、固体撮像素子１０８より入力される画像信号に対して所定の処理を施してプロセッサ２００の前段信号処理回路２２０に出力する。
【００３４】
ドライバ信号処理回路１１０はまた、メモリ１１２にアクセスして電子スコープ１００の固有情報を読み出す。メモリ１１２に記録される電子スコープ１００の固有情報には、例えば、固体撮像素子１０８の画素数や感度、動作可能なフレームレート、型番等が含まれる。ドライバ信号処理回路１１０は、メモリ１１２より読み出された固有情報をシステムコントローラ２０２に出力する。
【００３５】
システムコントローラ２０２は、電子スコープ１００の固有情報に基づいて各種演算を行い、制御信号を生成する。システムコントローラ２０２は、生成された制御信号を用いて、プロセッサ２００に接続されている電子スコープに適した処理がなされるようにプロセッサ２００内の各種回路の動作やタイミングを制御する。
【００３６】
タイミングコントローラ２０４は、システムコントローラ２０２によるタイミング制御に従って、ドライバ信号処理回路１１０にクロックパルスを供給する。ドライバ信号処理回路１１０は、タイミングコントローラ２０４から供給されるクロックパルスに従って、固体撮像素子１０８をプロセッサ２００側で処理される映像のフレームレートに同期したタイミングで駆動制御する。
【００３７】
前段信号処理回路２２０は、ドライバ信号処理回路１１０より１フレーム周期で順次入力される各画像信号Ｓｓ１、Ｓｎ、Ｓｓ２、Ｓｎに対して所定の信号処理を施してフレームメモリ２３０に出力する。
【００３８】
フレームメモリ２３０は、３つのフレームメモリ（第一の酸素飽和度観察用メモリ２３０ｍＡ、第二の酸素飽和度観察用メモリ２３０ｍＢ、通常観察用メモリ２３０ｍＣ）を有している。各フレームメモリには、前段信号処理回路２２０より入力される各画像信号が書き込まれる（上書きされる）。具体的には、第一の酸素飽和度観察用メモリ２３０ｍＡには、第一の酸素飽和度観察用画像信号Ｓｓ１が書き込まれ、第二の酸素飽和度観察用メモリ２３０ｍＢには、第二の酸素飽和度観察用画像信号Ｓｓ２が書き込まれ、通常観察用メモリ２３０ｍＣには、通常観察用画像信号Ｓｎが書き込まれる。フレームメモリ２３０は、各フレームメモリの画像信号をタイミングコントローラ２０４からのクロックパルスに同期させて後段信号処理回路２４０に順次出力する。
【００３９】
後段信号処理回路２４０は、上記式（１）を用いて、フレームメモリ２３０より入力される第一の酸素飽和度観察用画像信号Ｓｓ１及び第二の酸素飽和度観察用画像信号Ｓｓ２から指標Ｘを計算する。
【００４０】
後段信号処理回路２４０が備える不揮発性メモリ（不図示）には、予め実験的に取得されたヘモグロビンの酸素飽和度と指標Ｘの値との定量的関係を示す数値表が記憶されている。後段信号処理回路２４０は、この数値表を参照して、上記式（１）を用いて算出された指標Ｘの値に対応する酸素飽和度ＳａｔＯ２（ｘ，ｙ）を取得する。後段信号処理回路２４０は、取得された酸素飽和度ＳａｔＯ２（ｘ，ｙ）に所定の定数を乗じた値を各画素（ｘ，ｙ）の画素値とする画像データ（酸素飽和度分布画像データ）を生成する。
【００４１】
また、後段信号処理回路２４０は、フレームメモリ２３０より入力される通常観察用画像信号Ｓｎを用いて通常観察用画像データを生成する。
【００４２】
後段信号処理回路２４０は、酸素飽和度分布画像データ及び通常観察用画像データを所定のビデオフォーマット信号に変換する。変換されたビデオフォーマット信号は、モニタ３００に出力される。これにより、酸素飽和度分布画像や通常観察画像がモニタ３００の表示画面に表示される。
【００４３】
術者は、操作パネル２１４を操作することにより、観察画像の表示形態を設定することができる。観察画像の表示形態としては、例えば、同一サイズの酸素飽和度分布画像と通常観察画像とを並べて一画面に表示させる形態、一方の画像を親画面表示し、他方の画像を子画面表示する形態、術者の操作に従って選択された一方の画像を全画面表示させる形態、通常観察画像に酸素飽和度分布画像をオーバレイ表示させる形態がある。また、表示画面には、操作パネル２１４によって入力された内視鏡観察に関する情報（例えば、術者名、患者名、観察日時、観察に使用した照射光の種別等）をスーパーインポーズ表示させることができる。
【００４４】
図４（ａ）〜図４（ｇ）は、通常観察画像及び酸素飽和度分布画像に関する各処理のタイミング及び期間を示す図である。図４（ａ）は、照射光（第一の酸素飽和度観察光Ｌｓ１、第二の酸素飽和度観察光Ｌｓ２、通常光Ｌｎ）により被写体（体腔内）が照射される期間を示す。図４（ａ）に示されるように、第一の酸素飽和度観察光Ｌｓ１、第二の酸素飽和度観察光Ｌｓ２は、４フレーム毎に被写体に照射され、通常光Ｌｎは、２フレーム毎に被写体に照射される。図４（ｂ）は、第一の酸素飽和度観察用メモリ２３０ｍＡへの第一の酸素飽和度観察用画像信号Ｓｓ１の書き込みタイミング及び保持期間を示す。図４（ｃ）は、第二の酸素飽和度観察用メモリ２３０ｍＢへの第二の酸素飽和度観察用画像信号Ｓｓ２の書き込みタイミング及び保持期間を示す。図４（ｄ）は、通常観察用メモリ２３０ｍＣへの通常観察用画像信号Ｓｎの書き込みタイミング及び保持期間を示す。図４（ｅ）、図４（ｆ）、図４（ｇ）はそれぞれ、第一の酸素飽和度観察用画像信号Ｓｓ１、第二の酸素飽和度観察用画像信号Ｓｓ２、通常観察用画像信号Ｓｎがフレームメモリ２３０から読み出される期間を示す。
【００４５】
なお、図４の例では、フレームメモリ２３０への画像信号の書き込み開始タイミング（図４（ｂ）〜図４（ｄ））が照射光の照射開始タイミング（図４（ａ））に対して１フレーム期間遅延して示され、画像信号の読み出し開始タイミング（図４（ｅ）〜図４（ｇ））がフレームメモリへの画像信号の書き込み開始タイミングと同じタイミングで示されている。但し、これらのタイミングは、区切り良く便宜的に示されたものである。照射、書き込み、読み出しの各処理は、実際には、図４（ａ）〜図４（ｇ）に示されるタイミングで開始されるのではなく、極僅かな遅延を持って順次開始される。また、図４の例では、照射、保持、読み出しの各処理は、実行期間長が一律にフレーム単位長となっているが、これらの実行期間長も区切り良く便宜的に示されたものである。照射、保持、読み出しの各処理の実行期間長は、実際には異なる長さとなっている。
【００４６】
また、図４（ａ）において、照射光による照射期間は、説明の便宜上「照射光の符号（序数）」の表記で示される。例えば、図４（ａ）中、「Ｌｓ１（１）」は、第一の酸素飽和度観察光Ｌｓ１による初回の照射期間を示し、「Ｌｓ１（２）」は、第一の酸素飽和度観察光Ｌｓ１による２回目の照射期間を示す。
【００４７】
また、図４（ｂ）〜図４（ｄ）の各図において、フレームメモリ２３０への画像信号の書き込みタイミング及び保持期間は、説明の便宜上「画像信号の符号（序数）」の表記で示される。例えば、図４（ｂ）中、「Ｓｓ１（１）」は、第一の酸素飽和度観察光Ｌｓ１（初回）により照射された被写体の第一の酸素飽和度観察用画像信号Ｓｓ１を第一の酸素飽和度観察用メモリ２３０ｍＡへ書き込むタイミング及び書き込まれた該画像信号の保持期間を示し、「Ｓｓ１（２）」は、第一の酸素飽和度観察光Ｌｓ１（２回目）により照射された被写体の第一の酸素飽和度観察用画像信号Ｓｓ１を第一の酸素飽和度観察用メモリ２３０ｍＡへ書き込むタイミング及び書き込まれた該画像信号の保持期間を示す。
【００４８】
また、図４（ｅ）〜図４（ｇ）の各図において、画像信号の読み出し期間は、説明の便宜上「画像信号の符号（序数）」の表記で示される。例えば、図４（ｅ）中、「Ｓｓ１（１）」は、第一の酸素飽和度観察用画像信号Ｓｓ１（初回）が第一の酸素飽和度観察用メモリ２３０ｍＡから読み出される期間を示し、「Ｓｓ１（２）」は、第一の酸素飽和度観察用画像信号Ｓｓ１（２回目）が第一の酸素飽和度観察用メモリ２３０ｍＡから読み出される期間を示す。
【００４９】
本実施形態によれば、図４に示されるように、第一の酸素飽和度観察用画像信号Ｓｓ１、第二の酸素飽和度観察用画像信号Ｓｓ２が４フレーム毎に更新され、通常観察用画像信号Ｓｎが２フレーム毎で更新される。そのため、モニタ３００の表示画面には、分光特性の異なる２種類の光学フィルタ（第一の酸素飽和度観察用フィルタＦｓ１、第二の酸素飽和度観察用フィルタＦｓ２）を用いて取得された酸素飽和度分布画像が表示されつつリフレッシュレートの低下が抑えられた（具体的には、更新頻度が２フレーム毎の）通常観察画像が表示される。通常観察画像のリフレッシュレートの低下が抑えられるため、例えば術者が画面を見たときに感じるストレスが軽減される。
【００５０】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００５１】
上記の実施形態では、光源装置をプロセッサ２００に内蔵しているが、別の実施形態では、プロセッサ２００と光源装置とを分離した構成としてもよい。この場合、プロセッサ２００と光源装置との間でタイミング信号を送受信するための有線又は無線の通信手段が設けられる。
【００５２】
また、通常光Ｌｎと組み合わせられる光は、酸素飽和度観察のための光（第一の酸素飽和度観察光Ｌｓ１、第二の酸素飽和度観察光Ｌｓ２）に限らない。通常光Ｌｎと組み合わせられる光は、例えば、赤外光観察のための赤外光、蛍光観察のための励起光、狭帯域画像観察のための狭帯域光等が挙げられる。
【００５３】
また、上記の実施形態では、回転フィルタ２６０部がランプ２０８側に設けられ、照射光Ｌに対してフィルタリングを行う構成が採用されているが、本発明はこの構成に限らない。例えば、回転フィルタ部２６０が固体撮像素子１０８側に設けられ、被写体からの戻り光に対してフィルタリングを行う構成が採用されてもよい。
【符号の説明】
【００５４】
１  電子内視鏡システム
１００  電子スコープ
１０２  ＬＣＢ
１０４  配光レンズ
１０６  対物レンズ
１０８  固体撮像素子
１１０  ドライバ信号処理回路
１１２  メモリ
２００  プロセッサ
２０２  システムコントローラ
２０４  タイミングコントローラ
２０６  ランプ電源イグナイタ
２０８  ランプ
２１０  集光レンズ
２１２  メモリ
２１４  操作パネル
２２０  前段信号処理回路
２３０  フレームメモリ
２３０ｍＡ  第一の酸素飽和度観察用メモリ
２３０ｍＢ  第二の酸素飽和度観察用メモリ
２３０ｍＣ  通常観察用メモリ
２４０  後段信号処理回路
２６０  回転フィルタ部
２６１  回転式ターレット
Ｆｓ１、Ｆｓ２  酸素飽和度観察用フィルタ
Ｆｎ  通常観察用フィルタ
２６２  ＤＣモータ
２６３  ドライバ
２６４  フォトインタラプタ
【図１】
2016152872.tif 000003
【図２】
2016152872.tif 000004
【図３】
2016152872.tif 000005
【図４】
2016152872.tif 000006